(57)【要約】      （修正有）【課題】無線接続を確立する方法、装置、機器及び記憶媒体を提供する。【解決手段】車載機械装置と端末機器がＷｉＦｉ直接接続を確立する前に、まず、両者の間のブルートゥース（登録商標）通信接続を確立し、ブルートゥース（登録商標）通信接続により、車載機械装置は、車載機械装置とＷｉＦｉ直接接続を確立するために必要なパラメータ情報を端末機器に提供する。端末機器は、このパラメータ情報に基づいてＷｉＦｉ直接接続要求を前記車載機械装置に自動的に送信し、車載機械装置は、前記端末機器が送信したＷｉＦｉ直接接続要求に応答して、端末機器とのＷｉＦｉ直接接続を確立する。【効果】これにより、ユーザが手動で接続対象ＷｉＦｉ機器を検索して選択する必要はなく、車載機械装置と端末機器との間にＷｉＦｉ直接接続が自動的に確立されることを実現し、ユーザの操作が低減され、ユーザの車両の運転や端末機器の他の機能の使用に影響しない。【選択図】図２
2022003772.tif 000002
【特許請求の範囲】
【請求項１】
車載機械装置に適用される、無線接続を確立する方法であって、
接続対象端末機器とブルートゥース（登録商標）通信接続を確立することと、
前記ブルートゥース（登録商標）通信接続により、ＷｉＦｉ直接接続を確立するために必要なパラメータ情報を前記端末機器に提供することと、
前記端末機器が前記パラメータ情報に基づいて送信したＷｉＦｉ直接接続要求に応答して、前記端末機器とのＷｉＦｉ直接接続を確立することと、を含む、無線接続を確立する方法。
【請求項２】
接続対象端末機器とブルートゥース（登録商標）通信接続を確立することは、
ブルートゥース（登録商標）ペアリング接続をモニタリングで検出するとき、ブルートゥース（登録商標）ペアリング接続を確立した端末機器のブルートゥース（登録商標）通信アドレスを取得することと、
前記端末機器のブルートゥース（登録商標）通信アドレスに基づいて、前記端末機器にブルートゥース（登録商標）通信接続要求を送信して、前記端末機器とのブルートゥース（登録商標）通信接続を確立することと、を含む、請求項１に記載の方法。
【請求項３】
ブルートゥース（登録商標）ペアリング接続をモニタリングで検出するとき、ブルートゥース（登録商標）ペアリング接続を確立した端末機器のブルートゥース（登録商標）通信アドレスを取得することは、
ブルートゥース（登録商標）ペアリング接続をモニタリングで検出するとき、履歴ＷｉＦｉ直接接続データに基づいて、現在は初めのＷｉＦｉ直接接続ではないと確定した場合、今回のＷｉＦｉ直接接続を確立する端末機器として、前回のＷｉＦｉ直接接続の端末機器が用いられることと、
前記端末機器が前記車載機械装置とブルートゥース（登録商標）ペアリング接続を確立していない場合、前記端末機器とブルートゥース（登録商標）ペアリング接続を確立するのを待ってから、前記端末機器のブルートゥース（登録商標）通信アドレスを取得することと、を含む、請求項２に記載の方法。
【請求項４】
ブルートゥース（登録商標）（登録商標）ペアリング接続をモニタリングで検出するとき、ブルートゥース（登録商標）ペアリング接続を確立した端末機器のブルートゥース（登録商標）通信アドレスを取得することは、
ブルートゥース（登録商標）ペアリング接続をモニタリングで検出するとき、履歴ＷｉＦｉ直接接続データに基づいて、現在は初めのＷｉＦｉ直接接続であると確定した場合、端末機器として、現在ブルートゥース（登録商標）ペアリング接続が確立された機器を使用し、前記端末機器のブルートゥース（登録商標）通信アドレスを取得することを含む、請求項２に記載の方法。
【請求項５】
前記端末機器のブルートゥース（登録商標）通信アドレスに基づいて、前記端末機器にブルートゥース（登録商標）通信接続要求を送信した後、前記方法はさらに、
前記端末機器でのＷｉＦｉ直接接続を確立するためのクライアントを開くようにユーザに促すために用いられるプロンプト情報を送信することを含む、請求項３に記載の方法。
【請求項６】
前記ブルートゥース（登録商標）通信接続により、ＷｉＦｉ直接接続を確立するために必要なパラメータ情報を前記端末機器に提供することは、
前記ブルートゥース（登録商標）通信接続により、前記端末機器とデータ通信を行って、前記端末機器とＷｉＦｉ直接接続を確立するために必要なパラメータ情報を協議して確定することを含む、請求項１に記載の方法。
【請求項７】
前記ＷｉＦｉ直接接続に必要なパラメータ情報は、ＷｉＦｉ直接接続サービス名称、前記車載機械装置のＷｉＦｉ機器識別子を少なくとも含む、請求項１〜６のいずれか１項に記載の方法。
【請求項８】
端末機器に適用される、無線接続を確立する方法であって、前記端末機器が車両の車載機械装置とＷｉＦｉ直接接続通信を確立するために用いられ、
車両の車載機械装置とブルートゥース（登録商標）通信接続を確立することと、
前記ブルートゥース（登録商標）通信接続により、ＷｉＦｉ直接接続を確立するために必要なパラメータ情報を取得することと、
前記ＷｉＦｉ直接接続を確立するために必要なパラメータ情報に基づいて、前記車載機械装置にＷｉＦｉ直接接続要求を送信することにより、前記車載機械装置とＷｉＦｉ直接接続を確立することと、を含む、無線接続を確立する方法。
【請求項９】
車両の車載機械装置とブルートゥース（登録商標）通信接続を確立することは、
車載機械装置が送信したブルートゥース（登録商標）通信接続要求に応答して、前記車載機械装置とのブルートゥース（登録商標）通信接続を確立することを含む、請求項８に記載の方法。
【請求項１０】
車両の車載機械装置とブルートゥース（登録商標）通信接続を確立する前に、前記方法はさらに、
前記車載機械装置とブルートゥース（登録商標）ペアリング接続を確立することを含む、請求項８に記載の方法。
【請求項１１】
前記ブルートゥース（登録商標）通信接続により、ＷｉＦｉ直接接続を確立するために必要なパラメータ情報を取得することは、
前記ブルートゥース（登録商標）通信接続により、前記車載機械装置とデータ通信を行って、前記車載機械装置とＷｉＦｉ直接接続を確立するために必要なパラメータ情報を協議して確定することを含む、請求項８に記載の方法。
【請求項１２】
前記ＷｉＦｉ直接接続を確立するために必要なパラメータ情報に基づいて、前記車載機械装置にＷｉＦｉ直接接続要求を送信することは、
前記パラメータ情報におけるＷｉＦｉ直接接続サービス名称に基づいて、ＷｉＦｉ直接接続の確立を可能にする代替ＷｉＦｉ機器を検索することと、
前記パラメータ情報における前記車載機械装置のＷｉＦｉ機器識別子に基づいて、前記代替ＷｉＦｉ機器における前記車載機械装置を確定し、前記車載機械装置にＷｉＦｉ直接接続要求を送信することと、を含む、請求項８〜１１のいずれか１項に記載の方法。
【請求項１３】
前記パラメータ情報におけるＷｉＦｉ直接接続サービス名称に基づいて、ＷｉＦｉ直接接続の確立を可能にする代替ＷｉＦｉ機器を検索した後、前記方法はさらに、
前記パラメータ情報における前記車載機械装置のＷｉＦｉ機器識別子に基づいて、前記代替ＷｉＦｉ機器に前記車載機械装置が含まれていないと確定した場合、検索された代替ＷｉＦｉ機器に前記車載機械装置が含まれるまで、ＷｉＦｉ直接接続の確立を可能にする代替ＷｉＦｉ機器を再検索することを含む、請求項１２に記載の方法。
【請求項１４】
車載機械装置に適用される、無線接続を確立する装置であって、
接続対象端末機器とブルートゥース（登録商標）通信接続を確立し、さらに、前記ブルートゥース（登録商標）通信接続により、ＷｉＦｉ直接接続を確立するために必要なパラメータ情報を前記端末機器に提供するためのブルートゥース（登録商標）モジュールと、
前記端末機器が前記パラメータ情報に基づいて送信したＷｉＦｉ直接接続要求に応答して、前記端末機器とのＷｉＦｉ直接接続を確立するためのＷｉＦｉモジュールと、を含む、無線接続を確立する装置。
【請求項１５】
前記ブルートゥース（登録商標）モジュールはさらに、
ブルートゥース（登録商標）ペアリング接続をモニタリングで検出するとき、ブルートゥース（登録商標）ペアリング接続を確立した端末機器のブルートゥース（登録商標）通信アドレスを取得することと、
前記端末機器のブルートゥース（登録商標）通信アドレスに基づいて、前記端末機器にブルートゥース（登録商標）通信接続要求を送信して、前記端末機器とのブルートゥース（登録商標）通信接続を確立することと、のために用いられる、請求項１４に記載の装置。
【請求項１６】
前記ブルートゥース（登録商標）モジュールはさらに、
ブルートゥース（登録商標）ペアリング接続をモニタリングで検出するとき、履歴ＷｉＦｉ直接接続データに基づいて、現在は初めのＷｉＦｉ直接接続ではないと確定した場合、今回のＷｉＦｉ直接接続を確立する端末機器として、前回のＷｉＦｉ直接接続の端末機器が用いられることと、
前記端末機器がまだ前記車載機械装置とブルートゥース（登録商標）ペアリング接続を確立していない場合、前記端末機器と前記端末機器がブルートゥース（登録商標）ペアリング接続を確立するのを待ってから、前記端末機器のブルートゥース（登録商標）通信アドレスを取得することと、のために用いられる、請求項１５に記載の装置。
【請求項１７】
前記ブルートゥース（登録商標）モジュールはさらに、
ブルートゥース（登録商標）ペアリング接続をモニタリングで検出するとき、履歴ＷｉＦｉ直接接続データに基づいて、現在は初めのＷｉＦｉ直接接続であると確定した場合、端末機器として、現在ブルートゥース（登録商標）ペアリング接続が確立された機器を使用し、前記端末機器のブルートゥース（登録商標）通信アドレスを取得するために用いられる、請求項１５に記載の装置。
【請求項１８】
前記ブルートゥース（登録商標）モジュールはさらに、
前記端末機器のブルートゥース（登録商標）通信アドレスに基づいて、前記端末機器にブルートゥース（登録商標）通信接続要求を送信した後、前記端末機器でのＷｉＦｉ直接接続を確立するためのクライアントを開くようにユーザに促すために用いられるプロンプト情報を送信するために用いられる、請求項１６に記載の装置。
【請求項１９】
前記ブルートゥース（登録商標）モジュールはさらに、
前記ブルートゥース（登録商標）通信接続により、前記端末機器とデータ通信を行って、前記端末機器とＷｉＦｉ直接接続を確立するために必要なパラメータ情報を協議して確定するために用いられる、請求項１４に記載の装置。
【請求項２０】
前記ＷｉＦｉ直接接続に必要なパラメータ情報は、ＷｉＦｉ直接接続サービス名称、前記車載機械装置のＷｉＦｉ機器識別子を少なくとも含む、請求項１４〜１９のいずれか１項に記載の装置。
【請求項２１】
端末機器に適用される、無線接続を確立する装置であって、前記端末機器が車両での車載機械装置とＷｉＦｉ直接接続通信を確立するために用いられ、
車両の車載機械装置とブルートゥース（登録商標）通信接続を確立し、さらに、前記ブルートゥース（登録商標）通信接続により、ＷｉＦｉ直接接続を確立するために必要なパラメータ情報を取得するためのブルートゥース（登録商標）モジュールと、
前記ＷｉＦｉ直接接続を確立するために必要なパラメータ情報に基づいて、前記車載機械装置にＷｉＦｉ直接接続要求を送信することにより、前記車載機械装置とＷｉＦｉ直接接続を確立するためのＷｉＦｉモジュールと、を含む無線接続を確立する装置。
【請求項２２】
前記ブルートゥース（登録商標）モジュールは、さらに、
車載機械装置が送信したブルートゥース（登録商標）通信接続要求に応答して、前記車載機械装置とのブルートゥース（登録商標）通信接続を確立するために用いられる、請求項２１に記載の装置。
【請求項２３】
前記ブルートゥース（登録商標）モジュールはさらに、
車両の車載機械装置とブルートゥース（登録商標）通信接続を確立する前に、前記車載機械装置とブルートゥース（登録商標）ペアリング接続を確立するために用いられる、請求項２１に記載の装置。
【請求項２４】
前記ブルートゥース（登録商標）モジュールはさらに、
前記ブルートゥース（登録商標）通信接続により、前記車載機械装置とデータ通信を行って、前記車載機械装置とＷｉＦｉ直接接続を確立するために必要なパラメータ情報を協議して確定するために用いられる、請求項２１に記載の装置。
【請求項２５】
前記ＷｉＦｉモジュールはさらに、
前記パラメータ情報におけるＷｉＦｉ直接接続サービス名称に基づいて、ＷｉＦｉ直接接続の確立を可能にする代替ＷｉＦｉ機器を検索することと、
前記パラメータ情報における前記車載機械装置のＷｉＦｉ機器識別子に基づいて、前記代替ＷｉＦｉ機器における前記車載機械装置を確定し、前記車載機械装置にＷｉＦｉ直接接続要求を送信することと、のために用いられる、請求項２１〜２４のいずれか１項に記載の装置。
【請求項２６】
前記ＷｉＦｉモジュールはさらに、
前記パラメータ情報におけるＷｉＦｉ直接接続サービス名称に基づいて、ＷｉＦｉ直接接続の確立を可能にする代替ＷｉＦｉ機器を検索した後、前記パラメータ情報における前記車載機械装置のＷｉＦｉ機器識別子に基づいて、前記代替ＷｉＦｉ機器に前記車載機械装置が含まれていないと確定した場合、検索された代替ＷｉＦｉ機器に前記車載機械装置が含まれるまで、ＷｉＦｉ直接接続の確立を可能にする代替ＷｉＦｉ機器を再検索するために用いられる、請求項２５に記載の装置。
【請求項２７】
電子機器であって、
少なくとも１つのプロセッサ、及び
前記少なくとも１つのプロセッサと通信可能に接続されるメモリ、を含み、
前記メモリには前記少なくとも１つのプロセッサによって実行可能な命令が記憶され、前記命令が前記少なくとも１つのプロセッサによって実行されることにより、前記少なくとも１つのプロセッサに、請求項１〜１３のいずれか１項に記載の方法を実行させる、電子機器。
【請求項２８】
コンピュータ命令を記憶する非一時的なコンピュータで読み取り可能な記憶媒体であって、前記コンピュータ命令が、コンピュータに、請求項１〜１３のいずれか１項に記載の方法を実行させるために用いられる、非一時的なコンピュータで読み取り可能な記憶媒体。
【請求項２９】
コンピュータプログラムであって、前記コンピュータプログラムがプロセッサで実行されるとき、請求項１〜１３のいずれか１項に記載の方法が実現されるコンピュータプログラム。
【発明の詳細な説明】
【技術分野】
【０００１】
本願は、コンピュータ技術における人工知能、車のインタネット、知能交通技術に関し、特に無線接続を確立する方法、装置、機器及び記憶媒体に関する。
【背景技術】
【０００２】
車両を運転する過程で、車両の出力装置によって端末機器に表示された内容を展示するために、運転手や乗車者は通常、携帯電話、タブレットなどの端末機器を車両と相互接続する。
【０００３】
従来の携帯電話などの端末機器と車両との相互接続は通常、ＵＳＢ有線接続、ＷｉＦｉホットスポット無線接続、及びＷｉＦｉ直接無線接続を含む。ここで、ＵＳＢ有線接続は、操作が複雑で、接続するたびに、ユーザが複雑な操作ステップを行うことにより、接続を完了することができ、また、大量の規格外のＵＳＢデータケーブルが出回っているので、接続が不安定になることがよくある。ＷｉＦｉホットスポット無線接続は、携帯電話のホットスポットを使用する必要があり、電力を大量に消費するだけでなく、携帯電話のホットスポットが不安定で接続スタックの問題が発生することが多く、効果も良くない。ＷｉＦｉ直接無線接続は、周囲のすべての無線接続機器をスキャンすることができるため、ユーザは接続対象機器を手動で選択する必要があり、自動接続を実現できない。
【発明の概要】
【発明が解決しようとする課題】
【０００４】
本願は、無線接続を確立する方法、装置、機器及び記憶媒体を提供する。
【課題を解決するための手段】
【０００５】
本願の１つの態様によれば、車載機械装置に適用される無線接続を確立する方法を提供し、前記方法は、接続対象端末機器とブルートゥース（登録商標）通信接続を確立することと、前記ブルートゥース（登録商標）通信接続により、ＷｉＦｉ直接接続を確立するために必要なパラメータ情報を前記端末機器に提供することと、前記端末機器が前記パラメータ情報に基づいて送信したＷｉＦｉ直接接続要求に応答して、前記端末機器とのＷｉＦｉ直接接続を確立することと、を含む。
【０００６】
本願の別の態様によれば、端末機器に適用される無線接続を確立する方法を提供し、前記端末機器が車両での車載機械装置とＷｉＦｉ直接接続通信を確立するために用いられ、前記方法は、車両の車載機械装置とブルートゥース（登録商標）通信接続を確立することと、前記ブルートゥース（登録商標）通信接続により、ＷｉＦｉ直接接続を確立するために必要なパラメータ情報を取得することと、前記ＷｉＦｉ直接接続を確立するために必要なパラメータ情報に基づいて、前記車載機械装置にＷｉＦｉ直接接続要求を送信することにより、前記車載機械装置とＷｉＦｉ直接接続を確立することと、を含む。
【０００７】
本願の別の態様によれば、車載機械装置に適用される無線接続を確立する装置を提供し、前記装置は、接続対象端末機器とブルートゥース（登録商標）通信接続を確立し、さらに、前記ブルートゥース（登録商標）通信接続により、ＷｉＦｉ直接接続を確立するために必要なパラメータ情報を前記端末機器に提供するためのブルートゥース（登録商標）モジュールと、前記端末機器が前記パラメータ情報に基づいて送信したＷｉＦｉ直接接続要求に応答して、前記端末機器とのＷｉＦｉ直接接続を確立するためのＷｉＦｉモジュールと、を含む。
【０００８】
本願の別の態様によれば、端末機器に適用される無線接続を確立する装置を提供し、前記端末機器が車両での車載機械装置とＷｉＦｉ直接接続通信を確立するために用いられ、前記装置は、車両の車載機械装置とブルートゥース（登録商標）通信接続を確立し、さらに、前記ブルートゥース（登録商標）通信接続により、ＷｉＦｉ直接接続を確立するために必要なパラメータ情報を取得するためのブルートゥース（登録商標）モジュールと、前記ＷｉＦｉ直接接続を確立するために必要なパラメータ情報に基づいて、前記車載機械装置にＷｉＦｉ直接接続要求を送信することにより、前記車載機械装置とＷｉＦｉ直接接続を確立するためのＷｉＦｉモジュールと、を含む。
【０００９】
本願の別の態様によれば、電子機器を提供し、前記電子機器は、少なくとも１つのプロセッサ、及び前記少なくとも１つのプロセッサと通信可能に接続されるメモリを含み、ここで、前記メモリには前記少なくとも１つのプロセッサによって実行可能な命令が記憶され、前記命令が前記少なくとも１つのプロセッサによって実行されることにより、前記少なくとも１つのプロセッサに、上記のいずれか１項に記載の方法を実行させることができる。
【００１０】
本願の別の態様によれば、コンピュータ命令を記憶する非一時的なコンピュータで読み取り可能な記憶媒体を提供し、前記コンピュータ命令は、コンピュータに、上記のいずれか１項に記載の方法を実行させる。
【００１１】
本願の別の態様によれば、コンピュータプログラムを提供し、前記コンピュータプログラムがプロセッサで実行されるとき、上記のいずれか１項に記載の方法を実行させる。
【発明の効果】
【００１２】
本願の技術に基づいて、モバイル端末と車載機械装置との間にＷｉＦｉ直接接続が自動的に確立されることを実現した。
【００１３】
理解すべきものとして、本部分で説明するコンテンツは、本願の実施例の主要又は重要な特徴を特定することを意図するものではなく、本願の範囲を制限するためにも使用されない。本願の他の特徴は、以下の明細書によって容易に理解される。
【図面の簡単な説明】
【００１４】
添付の図面は、本案をよりよく理解するために使用されており、本願を限定するものではない。
【図１】本願の実施例の無線接続を確立することを実現できるシーン図である。
【図２】本願の第１実施例で提供される無線接続を確立する方法のフローチャートである。
【図３】本願の第２実施例で提供される無線接続を確立する方法のフローチャートである。
【図４】本願の第２実施例で提供されるブルートゥース（登録商標）通信接続を確立する方法のフローチャートである。
【図５】本願の第２実施例で提供されるパラメータ情報を協議して確定するフローチャートである。
【図６】本願の第２実施例で提供される無線接続を確立する全体的なフローチャートである。
【図７】本願の第３実施例で提供される無線接続を確立する装置の概略図である。
【図８】本願の第５実施例で提供される無線接続を確立する装置の概略図である。
【図９】本願の実施例の無線接続を確立する方法を実現するための電子機器のブロック図である。
【発明を実施するための形態】
【００１５】
以下、添付図面を参照して本願の例示的な実施例を説明するが、本願の実施例の様々な詳細が理解を容易にするために含まれており、単なる例示的なものと考えられるべきである。したがって、当業者は、本願の範囲及び精神から逸脱することなく、本明細書に記載された実施例に様々な変更及び修正を加えることができることを理解するはずである。同様に、明確かつ簡潔にするために、以下の説明において、よく知られている機能及び構造の説明は省略されている。
【００１６】
本願は、無線接続を確立する方法、装置、機器及び記憶媒体を提供し、コンピュータ技術分野における人工知能、車のインタネット、知能交通技術に適用され、モバイル端末と車両の車載機械装置との間にＷｉＦｉ直接接続が自動的に確立されることを実現し、ユーザの手動操作を低減する。
【００１７】
本願で提供された無線接続を確立する方法は、ユーザの携帯電話などの端末機器をユーザ車両での車載機械装置と自動的にＷｉＦｉ直接接続を確立し、端末機器と車載機械装置との間のデータ交換を実現するシーンに適用されることができる。
【００１８】
例えば、図１は、本願の実施例の無線接続を確立することを実現できるシーン図であり、図１に示すようなシーンにおいて、端末機器はユーザの携帯電話１０であってもよく、携帯電話１０はＷｉＦｉ直接接続機能とブルートゥース（登録商標）機能を同時に持ち、車載機械装置は、車両でのＷｉＦｉ直接接続機能とブルートゥース（登録商標）機能を持つ車載機械１１であってもよく、ＷｉＦｉ直接接続を自動的に確定する過程において、まず、携帯電話１０と車載機械１１はブルートゥース（登録商標）通信接続を確立し、そして携帯電話１０と車載機械１１は、ブルートゥース（登録商標）通信接続に基づいてＷｉＦｉ直接接続を確立するために必要なパラメータ情報を協議して確定し、携帯電話１０は、協議して確定したパラメータ情報に基づいてＷｉＦｉ直接接続要求を送信し、車載機械１１はＷｉＦｉ直接接続要求に応答して、携帯電話１０と車載機械１１との直接的なＷｉＦｉ直接接続を確立する。ＷｉＦｉ直接接続を確立した後、携帯電話１０は車載機械１１とＷｉＦｉ直接接続を介してデータ交換を行うことができる。例えば、携帯電話の画面に表示された内容を車両での車載機械の表示画面に投影して表示することができる。
【００１９】
図２は本願の第１実施例で提供される無線接続を確立する方法のフローチャートである。図２に示すように、当該方法の具体的なステップは以下の通りである。
【００２０】
ステップＳ２０１において、車載機械装置は接続対象端末機器とブルートゥース（登録商標）通信接続を確立する。
【００２１】
本実施例において、車載機械装置と接続対象端末機器はＷｉＦｉ直接接続を自動的に確立することを実現するために、まず、車載機械装置と端末機器はブルートゥース（登録商標）通信接続を自動的に確立する。
【００２２】
ここで、車載機械装置と端末機器との間のブルートゥース（登録商標）通信接続は、車載機械装置が端末機器にＷｉＦｉ直接接続を確立するために必要なパラメータ情報を提供するために用いられる。
【００２３】
ステップＳ２０２において、ブルートゥース（登録商標）通信接続により、車載機械装置は端末機器にＷｉＦｉ直接接続を確立するために必要なパラメータ情報を提供し、端末機器はＷｉＦｉ直接接続を確立するために必要なパラメータ情報を取得する。
【００２４】
車載機械装置と端末機器との間にブルートゥース（登録商標）通信接続が確立された後、車載機械装置は端末機器とブルートゥース（登録商標）通信接続を介してデータ交換を行い、車載機械装置は、車載機械装置とＷｉＦｉ直接接続を確立するために必要なパラメータ情報を端末機器に提供し、端末機器は、車載機械装置とＷｉＦｉ直接接続を確立するために必要なパラメータ情報を取得することができる。
【００２５】
本実施例において、車載機械装置は端末機器に提供するＷｉＦｉ直接接続を確立するために必要なパラメータ情報とは、この車載機械装置とＷｉＦｉ直接接続を確立するために必要なパラメータ情報である。このパラメータ情報は少なくとも車載機械装置のＷｉＦｉ機器識別子を含む。このパラメータ情報はまた、ＷｉＦｉ直接接続サービス名称、ＷｉＦｉ直接接続サービスタイプ、ＷｉＦｉ直接接続をサポートするかどうか、利用可能なＷｉＦｉ直接接続周波数帯域などのＷｉＦｉ直接接続を確立するために必要なパラメータを含んでも良い。
【００２６】
ここで、車載機械装置のＷｉＦｉ機器識別子は、この車載機械装置を一意に識別するために用いられ、異なる車両の車載機械装置のＷｉＦｉ機器識別子は異なる。例えば、車載機械装置のＷｉＦｉ機器識別子は、車載機械装置の名称、通信アドレスなどであっても良い。
【００２７】
ステップＳ２０３において、端末機器は、ＷｉＦｉ直接接続を確立するために必要なパラメータ情報に基づいて、車載機械装置にＷｉＦｉ直接接続要求を送信し、車載機械装置とＷｉＦｉ直接接続を確立する。
【００２８】
車載機械装置とＷｉＦｉ直接接続を確立するために必要なパラメータ情報を取得した後、端末機器は、パラメータ情報における車載機械装置のＷｉＦｉ機器識別子に基づいて、自動的に車載機械装置にＷｉＦｉ直接接続要求を送信することができ、ユーザが手動で接続対象車載機械装置を選択する必要がない。
【００２９】
ステップＳ２０４において、端末機器がパラメータ情報に基づいて送信したＷｉＦｉ直接接続要求に応答して、車載機械装置は端末機器とのＷｉＦｉ直接接続を確立する。
【００３０】
車載機械装置は、ＷｉＦｉ直接接続要求をモニタリングで検出した後、要求を受けて、要求を送信した端末機器とＷｉＦｉ直接接続を確立する。
【００３１】
本願の実施例において、車載機械装置は端末機器とＷｉＦｉ直接接続を確立する前に、まず、両者の間のブルートゥース（登録商標）通信接続を確立し、ブルートゥース（登録商標）通信接続により、車載機械装置は、車載機械装置とＷｉＦｉ直接接続を確立するために必要なパラメータ情報を端末機器に提供し、端末機器はこのパラメータ情報に基づいて自動的にＷｉＦｉ直接接続要求を車載機械装置に送信することができ、車載機械装置は端末機器が送信したＷｉＦｉ直接接続要求に応答して、端末機器とのＷｉＦｉ直接接続を確立し、ユーザが手動で接続対象ＷｉＦｉ機器を検索して選択する必要はなく、車載機械装置と端末機器との間にＷｉＦｉ直接接続が自動的に確立されることを実現し、ユーザの操作が低減され、ユーザの車両の運転や端末機器の他の機能の使用に影響しない。
【００３２】
図３は本願の第２実施例で提供される無線接続を確立する方法のフローチャートである。上記第１実施例に基づいて、本実施例において、車載機械装置が接続対象端末機器とブルートゥース（登録商標）通信接続を確立することは、ブルートゥース（登録商標）ペアリング接続をモニタリングで検出するとき、車載機械装置は、ブルートゥース（登録商標）ペアリング接続が確立された端末機器のブルートゥース（登録商標）通信アドレスを取得することと、端末機器のブルートゥース（登録商標）通信アドレスに基づいて、端末機器にブルートゥース（登録商標）通信接続要求を送信し、端末機器とのブルートゥース（登録商標）通信接続を確立することと、を含む。端末機器は車載機械装置が送信したブルートゥース（登録商標）通信接続要求に応答して、車載機械装置とのブルートゥース（登録商標）通信接続を確立する。
【００３３】
図３に示すように、この方法の具体的なステップは以下の通りである。
【００３４】
ステップＳ３０１において、端末機器は車載機械装置とブルートゥース（登録商標）ペアリング接続を自動的に確立する。
【００３５】
本実施例において、端末機器と車載機械装置が初めてブルートゥース（登録商標）ペアリングをした後、端末機器と車載機械装置が通信範囲内にあるとき、端末機器と車載機械装置はブルートゥース（登録商標）ペアリング接続を自動的に行うことができる。
【００３６】
通常、ユーザが車両を起動した後、ユーザは既に乗車した又は車両の近くに到達し、ユーザが携帯するモバイル端末は車両での車載機械装置の通信範囲に入り、ユーザがこのモバイル端末を使用して車載機械装置とブルートゥース（登録商標）ペアリング接続を確立したことがある場合、モバイル端末と車載機械装置は自動的にブルートゥース（登録商標）ペアリングを行い、ブルートゥース（登録商標）ペアリング接続を確立する。
【００３７】
実際の応用において、モバイル機器と車載機械装置が初めてブルートゥース（登録商標）ペアリング接続を確立するときだけ、ユーザが手動で操作してブルートゥース（登録商標）ペアリングを行う必要があり、後続の使用過程で端末機器と車載機械装置はブルートゥース（登録商標）ペアリング接続を自動的に行うことができる。
【００３８】
本実施例において、端末機器と車載機械装置はブルートゥース（登録商標）ペアリング接続を自動的に確立する過程は、従来技術における端末機器と車両はブルートゥース（登録商標）ペアリングを自動的に行う過程と一致しており、ここでは繰り返さない。
【００３９】
ステップＳ３０２において、ブルートゥース（登録商標）ペアリング接続をモニタリングで検出するとき、車載機械装置は、ブルートゥース（登録商標）ペアリング接続が確立された端末機器のブルートゥース（登録商標）通信アドレスを取得する。
【００４０】
車載機械装置は、車両が以前にブルートゥース（登録商標）ペアリング接続を確立した端末機器のブルートゥース（登録商標）通信アドレスを取得することができる。例えば、車両のシステム層を介して、この車両のブルートゥース（登録商標）接続履歴情報を取得することができ、このブルートゥース（登録商標）接続履歴情報は、この車両とブルートゥース（登録商標）ペアリング接続を確立した端末機器、ブルートゥース（登録商標）ペアリング接続を確立した時間、ブルートゥース（登録商標）通信アドレスなどの情報を含むことができる。
【００４１】
実際の応用において、ユーザが使用するモバイル端末とユーザの車両は、通常、長い時間で変更されず、ユーザが車載機械装置を接続するために使用するモバイル端末は、長い時間で変更されず、今回のＷｉＦｉ直接接続を確立する端末機器として、前回の車載機械装置とＷｉＦｉ直接接続の確立に成功した端末機器を優先的に利用することができ、ＷｉＦｉ直接接続の効率と成功率を向上させ、さらにユーザの実際の使用習慣に近づけることができる。
【００４２】
１つの選択可能な実施形態において、このステップは具体的に以下の形態を用いて実現することができる。
【００４３】
ブルートゥース（登録商標）ペアリング接続をモニタリングで検出するとき、履歴ＷｉＦｉ直接接続データに基づいて、現在は初めのＷｉＦｉ直接接続ではないと確定した場合、今回のＷｉＦｉ直接接続を確立する端末機器として、前回のＷｉＦｉ直接接続の端末機器が用いられ、端末機器は車載機械装置とブルートゥース（登録商標）ペアリング接続を確立していない場合、端末機器とのブルートゥース（登録商標）ペアリング接続が確立されるのを待ってから、端末機器のブルートゥース（登録商標）通信アドレスを取得する。
【００４４】
ブルートゥース（登録商標）ペアリング接続をモニタリングで検出するとき、履歴ＷｉＦｉ直接接続データに基づいて、現在は初めのＷｉＦｉ直接接続であると確定した場合、端末機器として、現在ブルートゥース（登録商標）ペアリング接続が確立された機器を使用し、端末機器のブルートゥース（登録商標）通信アドレスを取得する。
【００４５】
具体的に、ブルートゥース（登録商標）ペアリング接続をモニタリングで検出するとき、車載機械装置は履歴ＷｉＦｉ直接接続データを取得することができる。この履歴ＷｉＦｉ直接接続データは、過去に車載機械装置とＷｉＦｉ直接接続を確立した時間や端末機器などのデータを含んでも良く、この履歴ＷｉＦｉ直接接続データに基づいて、車載機械装置がＷｉＦｉ直接接続を何回も確立したか、及び毎回ＷｉＦｉ直接接続を確立するオブジェクトと時間を照会することができる。このように、車載機械装置は履歴ＷｉＦｉ直接接続データに基づいて、現在は初めの第１ＷｉＦｉ直接接続であるかどうかを確定でき、車載機械装置が既に少なくとも１つの端末機器とＷｉＦｉ直接接続を確立した場合、現在は初めのＷｉＦｉ直接接続ではないと確定し、このとき、前回の車載機械装置とＷｉＦｉ直接接続を確立した端末機器は、今回の車載機械装置とＷｉＦｉ直接接続を確立する端末機器である可能性が高く、前回のＷｉＦｉ直接接続の端末機器を今回のＷｉＦｉ直接接続を確立する端末機器として、前回のＷｉＦｉ直接接続の端末機器のブルートゥース（登録商標）通信アドレスを取得することにより、この端末機器とのブルートゥース（登録商標）通信接続を確立することができる。
【００４６】
前回のＷｉＦｉ直接接続の端末機器がまだ車載機械装置とブルートゥース（登録商標）ペアリング接続を確立していない場合、端末機器とのブルートゥース（登録商標）ペアリング接続が確立されるのを待ってから、端末機器のブルートゥース（登録商標）通信アドレスを取得して、この端末機器とのブルートゥース（登録商標）通信接続を確立する。
【００４７】
さらに、車載機械装置が任意の端末機器とＷｉＦｉ直接接続を確立していない場合、現在は初めのＷｉＦｉ直接接続であると確定する。このとき、車載機械装置は、現在ブルートゥース（登録商標）ペアリング接続を確立した機器を、ＷｉＦｉ直接接続を確立しようとする端末機器として、端末機器のブルートゥース（登録商標）通信アドレスを取得して、この端末機器とのブルートゥース（登録商標）通信接続を確立することにより、ＷｉＦｉ直接接続を確立する過程がよりインテリジェントで効率的にすることができる。
【００４８】
車載機械装置は、取得した端末機器のブルートゥース（登録商標）通信アドレスに基づいて、端末機器とのブルートゥース（登録商標）通信接続を自動的に確立することができる。
【００４９】
また、本実施例において、車載機械装置は、モバイル端末とブルートゥース（登録商標）通信接続を自動的に確立すること、及びブルートゥース（登録商標）通信接続を介して端末機器が車載機械装置とＷｉＦｉ直接接続を確立するために必要なパラメータ情報を協議して確定することのために用いられる常駐サービスを提供することができる。
【００５０】
ステップＳ３０３において、車載機械装置は端末機器のブルートゥース（登録商標）通信アドレスに基づいて、端末機器にブルートゥース（登録商標）通信接続要求を送信する。
【００５１】
車載機械装置とＷｉＦｉ直接接続を確立しようとする端末機器及びそのブルートゥース（登録商標）通信アドレスを確定した後、このステップにおいて、車載機械装置は端末機器にブルートゥース（登録商標）通信接続要求を送信し、端末機器とのブルートゥース（登録商標）通信接続の確立を要求する。
【００５２】
ここで、車載機械装置と端末機器との間のブルートゥース（登録商標）通信接続とは、ブルートゥース（登録商標）ソケット（Ｓｏｃｋｅｔ）接続を意味する。
【００５３】
実際の応用において、通常、端末機器（例えば携帯電話）は、アプリケーション層からペアリング接続されたブルートゥース（登録商標）機器を取得できず、ペアリング接続の一瞬だけをモニタリングすることができる。このように、ブルートゥース（登録商標）ペアリング接続の後、端末機器のＷｉＦｉ直接接続機能を起動する場合、端末機器は、ペアリング接続された機器にブルートゥース（登録商標）通信接続の要求を自動的に送信することができなくなるので、自動的にＷｉＦｉ直接接続の目標対象を選択してＷｉＦｉ直接接続を確立することもできなくなる。本実施例において、車両の車載機械装置によってペアリング接続された端末機器のブルートゥース（登録商標）通信アドレスを取得して、ブルートゥース（登録商標）通信接続を開始し、後続のＷｉＦｉ直接接続を自動的に確立する過程が実現されるようにする。
【００５４】
選択的に、ブルートゥース（登録商標）通信要求を送信する対象となる端末機器が、前回の車載機械装置とＷｉＦｉ直接接続を確立した端末機器である場合、端末機器にプロンプト情報を送信することができ、プロンプト情報は、端末機器でのＷｉＦｉ直接接続を確立するためのクライアントを開くようにユーザに促すために用いられ、これにより、ユーザは端末機器でのＷｉＦｉ直接接続クライアントを開き、端末機器と車載機械装置とのＷｉＦｉ直接接続を確立する機能を起動させる。
【００５５】
具体的に、端末機器にブルートゥース（登録商標）通信接続要求を送信した後、ブルートゥース（登録商標）通信要求を送信する対象となる端末機器のブルートゥース（登録商標）通信アドレスが、前回の車載機械装置とＷｉＦｉ直接接続を確立した端末機器のブルートゥース（登録商標）通信アドレスと一致すると、プロンプト情報を送信する。
【００５６】
選択的に、プロンプト情報は端末機器に表示され、端末機器に長い時間滞在されてもよく、ユーザがこのプロンプト情報を発見するのを容易にし、頻繁なメッセージポップアップがユーザに大きな影響を与えることを避ける。
【００５７】
ステップＳ３０４において、端末機器は車載機械装置が送信したブルートゥース（登録商標）通信接続要求に応答して、車載機械装置とのブルートゥース（登録商標）通信接続を確立する。
【００５８】
本実施例において、車載機械装置が自動的にブルートゥース（登録商標）通信接続要求を端末機器に送信し、端末機器がこのブルートゥース（登録商標）通信接続要求に応答して、車載機械装置とのブルートゥース（登録商標）通信接続を確立することは、車載機械装置と端末機器との間のブルートゥース（登録商標）通信接続の自動的な確立を実現し、後続のＷｉＦｉ直接接続の自動的な確立のために通信チャネルを提供することができる。
【００５９】
ステップＳ３０５において、ブルートゥース（登録商標）通信接続により、車載機械装置が端末機器とデータ通信を行い、車載機械装置が端末機器とＷｉＦｉ直接接続を確立するために必要なパラメータ情報を協議して確定する。
【００６０】
車載機械装置と端末機器との間のブルートゥース（登録商標）通信接続が確立された後、ブルートゥース（登録商標）通信接続により、車載機械装置とデータ通信を行い、両方がＷｉＦｉ直接接続を確立するために必要なパラメータ情報に対して通信検証を行って、車載機械装置とＷｉＦｉ直接接続を確立するために必要なパラメータ情報を協議して確定することにより、ＷｉＦｉ直接接続パラメータの自動的な協議と確定を実現し、ＷｉＦｉ直接接続を自動的に確立するために利用可能なパラメータ情報を提供する。
【００６１】
ここで、ＷｉＦｉ直接接続に必要なパラメータ情報は少なくとも、ＷｉＦｉ直接接続サービス名称、車載機械装置のＷｉＦｉ機器識別子を含む。また、ＷｉＦｉ直接接続に必要なパラメータ情報はまた、ＷｉＦｉ直接接続サービスタイプ、ＷｉＦｉ直接接続をサポートするかどうか、利用可能なＷｉＦｉ直接接続周波数帯域などのＷｉＦｉ直接接続を確立するために必要なパラメータを含んでもよい。
【００６２】
車載機械装置とＷｉＦｉ直接接続を確立するために必要なパラメータ情報を確定した後、端末機器は以下のステップＳ３０６〜Ｓ３０８により、ＷｉＦｉ直接接続を確立するために必要なパラメータ情報に基づいて、車載機械装置にＷｉＦｉ直接接続要求を送信し、ＷｉＦｉ直接接続を自動的に確立する。
【００６３】
ステップＳ３０６において、端末機器はパラメータ情報におけるＷｉＦｉ直接接続サービス名称に基づいて、ＷｉＦｉ直接接続の確立を可能にする代替ＷｉＦｉ機器を検索する。
【００６４】
本実施例において、車載機械装置とＷｉＦｉ直接接続を確立するために必要なパラメータ情報を取得した後、端末機器はパラメータ情報におけるＷｉＦｉ直接接続サービス名称に基づいて、ＷｉＦｉ直接接続の確立を可能にする代替ＷｉＦｉ機器、即ち、周辺の接続可能なＷｉＦｉ機器を検索し、代替ＷｉＦｉ機器として利用する。
【００６５】
ステップＳ３０７において、端末機器はパラメータ情報に基づいて、代替ＷｉＦｉ機器に車載機械装置が含まれるかどうかを確定する。
【００６６】
このステップにおいて、端末機器はパラメータ情報における車載機械装置のＷｉＦｉ機器識別子に基づいて、代替ＷｉＦｉ機器に車載機械装置が含まれていないと確定する場合、ステップＳ３０６を実行し、検索された代替ＷｉＦｉ機器に車載機械装置が含まれるまで、ＷｉＦｉ直接接続の確立を可能にする代替ＷｉＦｉ機器を再検索する。
【００６７】
このステップにおいて、パラメータ情報における車載機械装置のＷｉＦｉ機器識別子に基づいて、代替ＷｉＦｉ機器に車載機械装置が含まれると確定する場合、ステップＳ３０８を実行し、車載機械装置にＷｉＦｉ直接接続要求を送信する。
【００６８】
ステップＳ３０８において、端末機器は車載機械装置にＷｉＦｉ直接接続要求を送信する。
【００６９】
本実施例において、ＷｉＦｉ直接接続の確立を可能にする代替ＷｉＦｉ機器を検索した後、端末機器は、パラメータ情報におけるＷｉＦｉ直接接続を確立しようとする車載機械装置のＷｉＦｉ機器識別子に基づいて、代替ＷｉＦｉ機器からＷｉＦｉ直接接続を確立すると確定する車載機械装置を自動的に選択して、そして車載機械装置にＷｉＦｉ直接接続要求を送信し、ユーザが手動でＷｉＦｉ直接接続を確立する目標を検索して選択する必要はない。
【００７０】
ステップＳ３０９において、車載機械装置は、端末機器がパラメータ情報に基づいて送信したＷｉＦｉ直接接続要求に応答して、端末機器とのＷｉＦｉ直接接続を確立する。
【００７１】
例えば、ＷｉＦｉ直接接続を確立するパラメータ情報において、ＷｉＦｉ直接接続サービス名称は「Ｃｌｆｗｆｄ＿ｖｅｈｉｃｌｅ」であってもよく、携帯電話側は接続可能なＷｉＦｉ機器を絶えず検索し、ＷｉＦｉ直接接続サービス名称により、サービス名称が「Ｃｌｆｗｆｄ＿ｖｅｈｉｃｌｅ」である接続可能なＷｉＦｉ機器、即ちＷｉＦｉ直接接続の確立を可能にする代替ＷｉＦｉ機器を選び出し、そしてパラメータ情報から取得した車載機械装置のＷｉＦｉ機器識別子に基づいて、代替ＷｉＦｉ機器からパラメータ情報における車載機械装置のＷｉＦｉ機器識別子に一致するものを選び出すれば、ＷｉＦｉ直接接続を確立しようとする車載機械装置を確定でき、この車載機械装置にＷｉＦｉ直接接続要求を送信し、車載機械装置は要求を受信して、端末機器とのＷｉＦｉ直接接続を確立する。
【００７２】
例示的に、端末機器と車載機械装置との間にブルートゥース（登録商標）通信接続が自動的に確立される（ブルートゥース（登録商標）Ｓｏｃｋｅｔ接続）全体的なプロセスを、図４と併せて以下に例示的に説明する。端末機器と車載機械装置がブルートゥース（登録商標）ペアリング接続を自動的に確立した後、ブルートゥース（登録商標）通信接続を確立する段階で、車載機械装置によって端末機器にブルートゥース（登録商標）通信接続要求を送信し、端末機器はブルートゥース（登録商標）通信接続要求を待つ。具体的に、車載機械装置は前回のＷｉＦｉ直接接続が成功した又は現在ブルートゥース（登録商標）ペアリングが成功した目標機器を確定し、目標機器の確定が失敗した場合、つまり前回のＷｉＦｉ直接接続が成功した機器を取得せず、現在ブルートゥース（登録商標）ペアリングが成功した機器がない場合、第１プリセット期間後に目標機器を再確定し、目標機器の確定が成功した場合、目標機器にブルートゥース（登録商標）通信接続要求を送信し、目標機器とする端末機器はブルートゥース（登録商標）通信接続要求に応答して、車載機械装置とのブルートゥース（登録商標）通信接続を確立する。ブルートゥース（登録商標）通信接続が失敗した場合、第２プリセット期間後に、目標機器とのブルートゥース（登録商標）通信接続の確立が成功するまで、車載機械装置は目標機器を再確定して目標機器にブルートゥース（登録商標）通信接続要求を送信する。
【００７３】
ここで、第１プリセット期間と第２プリセット期間は、実際の応用シーンに応じて設定と調整を行うことができ、第１プリセット期間と第２プリセット期間は同じであってもよく、例えば第１プリセット期間と第２プリセット期間はどちらも２秒間、３秒間又は５秒間などであってもよく、又は第１プリセット期間と第２プリセット期間は異なってもよく、ここでは限定しない。
【００７４】
例示的に、ＷｉＦｉ直接接続を確立する前に、端末機器と車載機械装置が自動的に協議してＷｉＦｉ直接接続を確立するために必要なパラメータ情報を確定する全体的なプロセスを、図５と併せて以下に例示的に説明する。端末機器と車載機械装置が起動した後、端末機器と車載機械装置がブルートゥース（登録商標）ペアリング接続とブルートゥース（登録商標）通信接続（図５に示すようなブルートゥース（登録商標）Ｓｏｃｋｅｔ接続）を自動的に行い、ブルートゥース（登録商標）通信接続が成功したら、ブルートゥース（登録商標）通信接続によりブルートゥース（登録商標）通信（図５に示すようなＢＴ  Ｓｏｃｋｅｔ）を行い、端末機器と車載機械装置がＷｉＦｉ直接接続を確立するために必要なパラメータ情報を協議する。例えば、図５に示すように、端末機器は、ＷｉＦｉ直接接続である無線接続形態、ＷｉＦｉ直接接続サービス名称、ＷｉＦｉ直接接続周波数帯域などのパラメータ情報を車載機械装置に送信し、車載機械装置はこれらのパラメータを受信して確認したら、端末機器に確認メッセージを送信し、端末機器は確認メッセージを受信し、ＷｉＦｉ直接接続を確立するために必要なパラメータ情報の協議を完了する。また、プリセットルールにより、ブルートゥース（登録商標）通信接続の確立が失敗すれば、ＵＳＢ接続など従来技術における任意の形態を介して端末機器と車載機械装置の接続を実現することができる。
【００７５】
例示的に、端末機器と車載機械装置がＷｉＦｉ直接接続を自動的に行う全体的なプロセスを、図６と併せて以下に例示的に説明する。初めのブルートゥース（登録商標）ペアリングでは、ユーザが手動で使用した端末機器と車両の車載機械装置に対してブルートゥース（登録商標）ペアリングを行い、後続で端末機器が車載機械装置の通信範囲に入ると、端末機器と車載機械装置が自動的にブルートゥース（登録商標）ペアリングを行い、ブルートゥース（登録商標）ペアリング接続を確立する。次に、車載機械装置は自動的に端末機器のブルートゥース（登録商標）通信アドレスを取得し、端末機器とのブルートゥース（登録商標）通信接続を確立することができる。ブルートゥース（登録商標）通信接続により、端末機器と車載機械装置は、ＷｉＦｉ直接接続を確立するために必要なパラメータ情報を協議して確認する。パラメータ情報の協議が成功したら、端末機器と車載機械装置はそれぞれＷｉＦｉモジュールを初期化し、端末機器はパラメータ情報に基づいて、ＷｉＦｉ直接接続機器をスキャンし、車載機械装置にＷｉＦｉ直接接続要求を送信し、車載機械装置はＷｉＦｉ直接接続要求をモニタリングし、端末機器と車載機械装置はＷｉＦｉ直接接続を確立し、そして車載機械装置は端末機器の通信アドレス（例えばＩＰアドレスなど）を取得することができ、端末機器と車載機械装置の接続が成功した。実際に使用する場合、ユーザはモバイル端末での車載機械側とＷｉＦｉ直接接続するクライアントアプリケーションを開き、車載機械側が起動する時も対応するサービス側アプリケーションを開き、ＷｉＦｉ直接接続が成功したら、車載機械側は自動的に対応するアプリケーションを引き出せるか又はユーザの操作に応じて対応するアプリケーションを引き出せる。また、モバイル端末でＷｉＦｉを開いて使用する権限をクライアントに許可する必要があり、これらは従来の設定であり、ここでは繰り返さない。
【００７６】
端末機器と車載機械装置とのＷｉＦｉ直接接続を確立した後、端末機器と車載機械装置との間でＷｉＦｉ直接接続を介してデータ通信を行う形態は、ＵＳＢ接続を介してデータ通信を行う形態と同様に、端末機器のスクリーンロックやバックスクリーンショットなどの操作をサポートし、端末機器はモバイルネットワークとＷｉＦｉ接続をサポートする。端末機器でのＷｉＦｉ直接接続のクライアントが開くと、端末機器と車載機械装置とのＷｉＦｉ直接接続が自動的に確立されることができ、ユーザは、端末機器の使用に影響を与えることなく、スクリーンロック、バックスクリーンショット、オーディオ／ビデオの再生などの操作を含め、端末機器を通常どおりに使用することができる。
【００７７】
また、古い車載機械はインターネットに接続できなく、端末機器が車載機械とＷｉＦｉホットスポット接続を確立した後、端末機器はモバイルネットワークを使用できないなり、本実施例において、端末機器を選択して車載機械とＷｉＦｉ直接接続を確立し、ＷｉＦｉ直接接続を確立した後、モバイル端末は依然としてモバイルネットワークを使用することができる。
【００７８】
本願の実施例において、車載機械装置がブルートゥース（登録商標）ペアリング接続をモニタリングで検出する場合、履歴ＷｉＦｉ直接接続データに基づいて、現在は初めのＷｉＦｉ直接接続ではないと確定した場合、今回のＷｉＦｉ直接接続を確立する端末機器として、優先的に前回のＷｉＦｉ直接接続の端末機器を使用し、現在は初めのＷｉＦｉ直接接続であると確定した場合、端末機器として、現在ブルートゥース（登録商標）ペアリング接続が確立された機器を使用し、それにより、ユーザが手動で端末機器を選択する必要がなく、自動的に接続対象端末機器を選択することができ、次に、車載機械装置は端末機器のブルートゥース（登録商標）通信アドレスを取得し、端末機器にブルートゥース（登録商標）通信接続要求を送信し、端末機器は要求を受信し、端末機器と車載機械装置は自動的にブルートゥース（登録商標）通信接続を確立して、ブルートゥース（登録商標）通信接続によりＷｉＦｉ直接接続を確立するために必要なパラメータ情報を協議し、さらに、端末機器はパラメータ情報におけるＷｉＦｉ直接接続サービス名称に基づいて、ＷｉＦｉ直接接続の確立を可能にする代替ＷｉＦｉ機器を検索し、パラメータ情報における車載機械装置のＷｉＦｉ機器識別子に基づいて、代替ＷｉＦｉ機器における車載機械装置を確定し、車載機械装置にＷｉＦｉ直接接続要求を送信し、車載機械装置は要求を受信し、端末機器とのＷｉＦｉ直接接続を確立し、ユーザが手動で接続対象車載機械装置を選択する必要がなく、車載機械装置と端末機器との間にＷｉＦｉ直接接続が自動的に確立されることを実現することができ、ユーザの操作が低減され、ユーザの車両の運転や端末機器の他の機能の使用に影響しない。
【００７９】
図７は本願の第３実施例で提供される無線接続を確立する装置の概略図である。本願の実施例で提供される無線接続を確立する装置は、無線接続を確立する方法実施例で提供された処理プロセスを実行することができる。図７に示すように、この無線接続を確立する装置７０は、ブルートゥース（登録商標）モジュール７０１とＷｉＦｉモジュール７０２を含む。
【００８０】
具体的に、ブルートゥース（登録商標）モジュール７０１は、接続対象端末機器とブルートゥース（登録商標）通信接続を確立するために用いられる。
【００８１】
ブルートゥース（登録商標）モジュール７０１はさらに、ブルートゥース（登録商標）通信接続により、ＷｉＦｉ直接接続を確立するために必要なパラメータ情報を端末機器に提供するために用いられる。
【００８２】
ＷｉＦｉモジュール７０２は、端末機器がパラメータ情報に基づいて送信したＷｉＦｉ直接接続要求に応答して、端末機器とのＷｉＦｉ直接接続を確立するために用いられる。
【００８３】
本願の実施例で提供された装置は具体的に、上記第１実施例における車載機械装置によって実行された方法プロセスを実行するために用いられることができ、具体的な機能はここで繰り返さない。
【００８４】
本願の実施例において、車載機械装置と端末機器がＷｉＦｉ直接接続を確立する前に、まず、両者の間のブルートゥース（登録商標）通信接続を確立し、ブルートゥース（登録商標）通信接続により、車載機械装置は、車載機械装置とＷｉＦｉ直接接続を確立するために必要なパラメータ情報を端末機器に提供し、端末機器はこのパラメータ情報に基づいてＷｉＦｉ直接接続要求を車載機械装置に自動的に送信し、車載機械装置は端末機器が送信したＷｉＦｉ直接接続要求に応答して、端末機器とのＷｉＦｉ直接接続を確立し、これにより、ユーザが手動で接続対象ＷｉＦｉ機器を検索して選択する必要はなく、車載機械装置と端末機器との間にＷｉＦｉ直接接続が自動的に確立されることを実現し、ユーザの操作が低減され、ユーザの車両の運転や端末機器の他の機能の使用に影響しない。
【００８５】
上記第３実施例に基づいて、本願の第４実施例において、ブルートゥース（登録商標）モジュールはさらに、ブルートゥース（登録商標）ペアリング接続をモニタリングで検出するとき、ブルートゥース（登録商標）ペアリング接続を確立した端末機器のブルートゥース（登録商標）通信アドレスを取得し、端末機器のブルートゥース（登録商標）通信アドレスに基づいて、端末機器にブルートゥース（登録商標）通信接続要求を送信し、端末機器とのブルートゥース（登録商標）通信接続を確立するために用いられる。
【００８６】
１つの選択可能な実施形態において、ブルートゥース（登録商標）モジュールはさらに、ブルートゥース（登録商標）ペアリング接続をモニタリングで検出するとき、履歴ＷｉＦｉ直接接続データに基づいて、現在は初めのＷｉＦｉ直接接続ではないと確定した場合、今回のＷｉＦｉ直接接続を確立する端末機器として、前回のＷｉＦｉ直接接続の端末機器が用いられ、端末機器は車載機械装置とブルートゥース（登録商標）ペアリング接続を確立していない場合、端末機器が車載機械装置とブルートゥース（登録商標）ペアリング接続を確立するのを待ってから、端末機器のブルートゥース（登録商標）通信アドレスを取得するために用いられる。
【００８７】
１つの選択可能な実施形態において、ブルートゥース（登録商標）モジュールはさらに、ブルートゥース（登録商標）ペアリング接続をモニタリングで検出するとき、履歴ＷｉＦｉ直接接続データに基づいて、現在は初めのＷｉＦｉ直接接続であると確定した場合、端末機器として、現在ブルートゥース（登録商標）ペアリング接続が確立された機器を使用し、端末機器のブルートゥース（登録商標）通信アドレスを取得するために用いられる。
【００８８】
１つの選択可能な実施形態において、ブルートゥース（登録商標）モジュールはさらに、端末機器のブルートゥース（登録商標）通信アドレスに基づいて、端末機器にブルートゥース（登録商標）通信接続要求を送信した後、プロンプト情報を送信するために用いられ、プロンプト情報は、端末機器でのＷｉＦｉ直接接続を確立するためのクライアントを開くようにユーザに促すために用いられる。
【００８９】
１つの選択可能な実施形態において、ブルートゥース（登録商標）モジュールはさらに、ブルートゥース（登録商標）通信接続により、端末機器とデータ通信を行って、端末機器とＷｉＦｉ直接接続を確立するために必要なパラメータ情報を協議して確定するために用いられる。
【００９０】
１つの選択可能な実施形態において、ＷｉＦｉ直接接続に必要なパラメータ情報は少なくとも、ＷｉＦｉ直接接続サービス名称、車載機械装置のＷｉＦｉ機器識別子を含む。
【００９１】
本願の実施例で提供された装置は具体的に、上記第２実施例における車載機械装置によって実行された方法プロセスを実行するために用いられ、具体的な機能はここで繰り返さない。
【００９２】
本願の実施例において、車載機械装置がブルートゥース（登録商標）ペアリング接続をモニタリングで検出するとき、履歴ＷｉＦｉ直接接続データに基づいて、現在は初めのＷｉＦｉ直接接続ではないと確定した場合、今回のＷｉＦｉ直接接続を確立する端末機器として、優先的に前回のＷｉＦｉ直接接続の端末機器を使用し、現在は初めのＷｉＦｉ直接接続であると確定した場合、端末機器として、現在ブルートゥース（登録商標）ペアリング接続が確立された機器を使用し、ユーザが手動で端末機器を選択する必要がなく、接続対象端末機器を自動的に選択することができ、次に、車載機械装置は端末機器のブルートゥース（登録商標）通信アドレスを取得し、端末機器にブルートゥース（登録商標）通信接続要求を送信し、端末機器は要求を受信し、端末機器と車載機械装置はブルートゥース（登録商標）通信接続を自動的に確立して、ブルートゥース（登録商標）通信接続によりＷｉＦｉ直接接続を確立するために必要なパラメータ情報を協議し、さらに、端末機器はパラメータ情報におけるＷｉＦｉ直接接続サービス名称に基づいて、ＷｉＦｉ直接接続の確立を可能にする代替ＷｉＦｉ機器を検索し、パラメータ情報における車載機械装置のＷｉＦｉ機器識別子に基づいて、代替ＷｉＦｉ機器における車載機械装置を確定し、車載機械装置にＷｉＦｉ直接接続要求を送信し、車載機械装置は要求を受信し、端末機器とのＷｉＦｉ直接接続を確立し、ユーザが手動で接続対象車載機械装置を選択する必要がなく、車載機械装置と端末機器との間にＷｉＦｉ直接接続が自動的に確立されることを実現することができ、ユーザの操作が低減され、ユーザの車両の運転や端末機器の他の機能の使用に影響しない。
【００９３】
図８は本願の第５実施例で提供される無線接続を確立する装置の概略図である。本願の実施例で提供された無線接続を確立する装置は、無線接続を確立する方法実施例で提供された処理プロセスを実行することができる。図８に示すように、この無線接続を確立する装置８０は、ブルートゥース（登録商標）モジュール８０１とＷｉＦｉモジュール８０２を含む。
【００９４】
具体的に、ブルートゥース（登録商標）モジュール８０１は、車両の車載機械装置とブルートゥース（登録商標）通信接続を確立するために用いられる。
【００９５】
ブルートゥース（登録商標）モジュール８０１はさらに、ブルートゥース（登録商標）通信接続により、ＷｉＦｉ直接接続を確立するために必要なパラメータ情報を取得するために用いられる。
【００９６】
ＷｉＦｉモジュール８０２は、ＷｉＦｉ直接接続を確立するために必要なパラメータ情報に基づいて、車載機械装置にＷｉＦｉ直接接続要求を送信し、車載機械装置とＷｉＦｉ直接接続を確立するために用いられる。
【００９７】
本願の実施例で提供される装置は具体的に、上記第１実施例における端末機器によって実行された方法プロセスを実行するために用いられることができ、具体的な機能はここで繰り返さない。
【００９８】
本願の実施例において、車載機械装置と端末機器がＷｉＦｉ直接接続を確立する前に、まず、両者の間のブルートゥース（登録商標）通信接続を確立し、ブルートゥース（登録商標）通信接続により、車載機械装置は、車載機械装置とＷｉＦｉ直接接続を確立するために必要なパラメータ情報を端末機器に提供し、端末機器はこのパラメータ情報に基づいてＷｉＦｉ直接接続要求を車載機械装置に自動的に送信し、車載機械装置は端末機器が送信したＷｉＦｉ直接接続要求に応答して、端末機器とのＷｉＦｉ直接接続を確立し、ユーザが手動で接続対象ＷｉＦｉ機器を検索して選択する必要はなく、車載機械装置と端末機器との間にＷｉＦｉ直接接続が自動的に確立されることを実現し、ユーザの操作が低減され、ユーザの車両の運転や端末機器の他の機能の使用に影響しない。
【００９９】
上記第５実施例に基づいて、本願の第６実施例において、ブルートゥース（登録商標）モジュールはさらに、車載機械装置が送信したブルートゥース（登録商標）通信接続要求に応答して、車載機械装置とのブルートゥース（登録商標）通信接続を確立するために用いられる。
【０１００】
１つの選択可能な実施形態において、ブルートゥース（登録商標）モジュールはさらに、車両の車載機械装置とブルートゥース（登録商標）通信接続を確立する前に、車載機械装置とブルートゥース（登録商標）ペアリング接続を確立するために用いられる。
【０１０１】
１つの選択可能な実施形態において、ブルートゥース（登録商標）モジュールはさらに、ブルートゥース（登録商標）通信接続により、車載機械装置とデータ通信を行って、車載機械装置とＷｉＦｉ直接接続を確立するために必要なパラメータ情報を協議して確定するために用いられる。
【０１０２】
１つの選択可能な実施形態において、ＷｉＦｉモジュールはさらに、パラメータ情報におけるＷｉＦｉ直接接続サービス名称に基づいて、ＷｉＦｉ直接接続の確立を可能にする代替ＷｉＦｉ機器を検索し、パラメータ情報における車載機械装置のＷｉＦｉ機器識別子に基づいて、代替ＷｉＦｉ機器における車載機械装置を確定し、車載機械装置にＷｉＦｉ直接接続要求を送信するために用いられる。
【０１０３】
１つの選択可能な実施形態において、ＷｉＦｉモジュールはさらに、パラメータ情報におけるＷｉＦｉ直接接続サービス名称に基づいて、ＷｉＦｉ直接接続の確立を可能にする代替ＷｉＦｉ機器を検索した後、パラメータ情報における車載機械装置のＷｉＦｉ機器識別子に基づいて、代替ＷｉＦｉ機器に車載機械装置が含まれていないと確定する場合、検索された代替ＷｉＦｉ機器に車載機械装置が含まれるまで、ＷｉＦｉ直接接続の確立を可能にする代替ＷｉＦｉ機器を再検索するために用いられる。
【０１０４】
本願の実施例で提供された装置は具体的に、上記第２実施例における端末機器によって実行された方法プロセスを実行するために用いられることができ、具体的な機能はここで繰り返さない。
【０１０５】
本願の実施例において、車載機械装置がブルートゥース（登録商標）ペアリング接続をモニタリングで検出するとき、履歴ＷｉＦｉ直接接続データに基づいて、現在は初めのＷｉＦｉ直接接続ではないと確定した場合、今回のＷｉＦｉ直接接続を確立する端末機器として、優先的に前回のＷｉＦｉ直接接続の端末機器を使用し、現在は初めのＷｉＦｉ直接接続であると確定した場合、端末機器として、現在ブルートゥース（登録商標）ペアリング接続が確立された機器を使用し、ユーザが手動で端末機器を選択する必要がなく、接続対象端末機器を自動的に選択することができ、次に、車載機械装置は端末機器のブルートゥース（登録商標）通信アドレスを取得し、端末機器にブルートゥース（登録商標）通信接続要求を送信し、端末機器は要求を受信し、端末機器は車載機械装置と自動的にブルートゥース（登録商標）通信接続を確立して、ブルートゥース（登録商標）通信接続によりＷｉＦｉ直接接続を確立するために必要なパラメータ情報を協議し、さらに、端末機器はパラメータ情報におけるＷｉＦｉ直接接続サービス名称に基づいて、ＷｉＦｉ直接接続の確立を可能にする代替ＷｉＦｉ機器を検索し、パラメータ情報における車載機械装置のＷｉＦｉ機器識別子に基づいて、代替ＷｉＦｉ機器における車載機械装置を確定し、車載機械装置にＷｉＦｉ直接接続要求を送信し、車載機械装置は要求を受信し、端末機器とのＷｉＦｉ直接接続を確立し、これにより、ユーザが手動で接続対象車載機械装置を選択する必要がなく、車載機械装置と端末機器との間にＷｉＦｉ直接接続が自動的に確立されることを実現することができ、ユーザの操作が低減され、ユーザの車両の運転や端末機器の他の機能の使用に影響しない。
【０１０６】
本願の実施例によれば、本願はさらに、電子機器と読み取り可能な媒体を提供する。
【０１０７】
図９は、本願の実施例を実施するための例示的な電子機器９００の概略ブロック図を示す。電子機器は、ラップトップコンピュータ、デスクトップコンピュータ、ワークステーション、パーソナルデジタルアシスタント、サーバ、ブレードサーバ、メインフレームコンピュータ、及び他の適切なコンピュータなど、さまざまな形式のデジタルコンピュータを表すことを目的としている。電子機器は、パーソナルデジタルアシスタント、セルラー電話、スマートフォン、ウェアラブル機器及び他の類似のコンピューティング装置など、さまざまな形式のモバイル装置を表してもよい。本明細書に示す部品、それらの接続及び関係、及びそれらの機能は、単なる例であり、本明細書で記載及び／又は要求される本願の実施を制限することを意図しない。
【０１０８】
図９に示すように、電子機器９００は、計算ユニット９０１を含み、読み取り専用メモリ（ＲＯＭ）９０２に記憶されるコンピュータプログラム又は記憶ユニット９０８からランダムアクセスメモリ（ＲＡＭ）９０３にロードされたコンピュータプログラムに従って、様々な適切な動作と処理を実行することができる。ＲＡＭ９０３において、電子機器９００の操作のために必要な各種プログラムとデータが記憶されてもよい。計算ユニット９０１、ＲＯＭ９０２及びＲＡＭ９０３は、バス９０４を介して互いに接続される。入力／出力（Ｉ／Ｏ）インターフェース９０５もバス９０４に接続される。
【０１０９】
電子機器９００における複数の部品はＩ／Ｏインターフェース９０５に接続され、前記部品は、キーボードやマウスなどの入力ユニット９０６、各種のディスプレイやスピーカなどの出力ユニット９０７、磁気ディスクや光ディスクなどの記憶ユニット９０８、及びネットワークカード、モデム、無線通信トランシーバなどの通信ユニット９０９、を含む。通信ユニット９０９は、電子機器９００がインターネットなどのコンピュータネットワーク及び／又は様々な電気通信ネットワークを介して、他の機器と情報／データを交換することを可能にする。
【０１１０】
計算ユニット９０１は、処理及び計算能力を有する様々な汎用及び／又は専用処理コンポーネントであってもよい。計算ユニット９０１のいくつかの例は、中央処理ユニット（ＣＰＵ）、グラフィック処理ユニット（ＧＰＵ）、様々な専用の人工知能（ＡＩ）計算チップ、様々な機械学習モデルアルゴリズムを運行する計算ユニット、デジタル信号プロセッサ（ＤＳＰ）、及び任意の適切なプロセッサ、コントローラ、マイクロコントローラなどを含む。計算ユニット９０１は、上述した様々な方法と処理、例えば無線接続を確立する方法における端末機器又は車載機械装置によって実行された方法と処理プロセスを実行する。例えば、いくつかの実施例において、無線接続を確立する方法は、コンピュータソフトウェアプログラムとして実装されてもよく、機械で読み取り可能な媒体、例えば記憶ユニット９０８に有形的に含まれる。いくつかの実施例において、コンピュータプログラムの一部又は全部は、ＲＯＭ９０２及び／又は通信ユニット９０９を介して機器９００にロード及び／又はインストールされてもよい。コンピュータプログラムがＲＡＭ９０３にロードされて計算ユニット９０１によって実行される場合、上述した無線接続を確立する方法の１つ又は複数のステップを実行することができる。選択的に、他の実施例において、計算ユニット９０１は、他の任意の適切な形態（例えば、ファームウェアを介して）により、無線接続を確立する方法を実行するように構成されてもよい。
【０１１１】
本明細書で説明するシステム及び技術の様々な実施形態は、デジタル電子回路システム、集積回路システム、フィールドプログラム可能ゲートアレイ（ＦＰＧＡ）、専用集積回路（ＡＳＩＣ）、専用標準製品（ＡＳＳＰ）、システムオンチップのシステム（ＳＯＣ）、負荷プログラマブル論理機器（ＣＰＬＤ）、コンピュータハードウェア、ファームウェア、ソフトウェア、及び／又はそれらの組み合わせで実施されることができる。これらの様々な実施形態は、１つ又は複数のコンピュータプログラムで実施されることを含むことができ、当該１つ又は複数のコンピュータプログラムが、少なくとも１つのプログラム可能なプロセッサを含むプログラム可能なシステム上で実行及び／又は解釈されるでき、当該プログラム可能なプロセッサが、専用又は汎用プログラム可能なプロセッサであってもよく、記憶システム、少なくとも１つの入力装置、及び少なくとも１つの出力装置からデータ及び命令を受信し、データ及び命令を当該記憶システム、当該少なくとも１つの入力装置、及び当該少なくとも１つの出力装置に送信することができる。
【０１１２】
本開示の方法を実施するためのプログラムコードは、１つ又は複数のプログラミング言語の任意の組合せを用いて作成することができる。これらのプログラムコードは、プログラムコードがプロセッサ又はコントローラによって実行されるとき、フローチャート及び／又はブロック図に規定された機能／動作が実行されるように、汎用コンピュータ、専用コンピュータ又は他のプログラム可能なデータ処理装置のプロセッサ又はコントローラに提供されてもよい。プログラムコードは完全に機械で実行されてもよいし、部分的に機械で実行されてもよいし、独立したソフトウェアパッケージとして部分的に機械で実行され、且つ部分的にリモート機械で実行されてもよいし、完全にリモート機械又はサーバで実行されてもよい。
【０１１３】
本開示の文脈において、機械で読み取り可能な媒体は、有形の媒体であってもよく、命令実行システム、装置又は機械の使用のためのプログラム、又は命令実行システム、装置又は機器と組み合わせて使用するためのプログラムを含む又は記憶することができる。機械で読み取り可能な媒体は、機械で読み取り可能な信号媒体又は机器で読み取り可能な記憶媒体であってもよい。機械で読み取り可能な媒体は、電子的、磁気的、光学的、電磁的、赤外線的、又は半導体システム、装置又は機器、又は上記の任意の適切な組み合わせを含むことができるが、これらに限定されない。機械で読み取り可能な記憶媒体のより具体的な例は、１つ又は複数の線に基づく電気的接続、携帯型コンピュータディスク、ハードディスク、ランダムアクセスメモリ（ＲＡＭ）、読み取り専用メモリ（ＲＯＭ）、消去可能なプログラマブル読み取り専用メモリ（ＥＰＲＯＭ又はフラッシュメモリ）、光ファイバ、ポータブルコンパクトディスク読み取り専用メモリ（ＣＤ−ＲＯＭ）、光学記憶機器、磁気記憶機器、又は上記の任意の適切な組み合わせを含むことができる。
【０１１４】
ユーザとの対話を提供するために、ここで説明するシステム及び技術をコンピュータに実施することができ、当該コンピュータは、ユーザに情報を表示するための表示装置（例えば、ＣＲＴ（陰極線管）又はＬＣＤ（液晶ディスプレイ）モニタ）、及びユーザがコンピュータに入力を提供できるキーボード及びポインティングデバイス（例えば、マウス又はトラックボール）を有する。他のタイプの装置は、さらにユーザとの対話を提供するために使用されてもよく、例えば、ユーザに提供されるフィードバックが、任意の形式の感覚フィードバック（例えば、視覚フィードバック、聴覚フィードバック、又は触覚フィードバック）であってもよく、任意の形式（音響入力、音声入力、又は触覚入力を含む）を使用して、ユーザからの入力を受信してもよい。
【０１１５】
本明細書で説明するシステム及び技術は、バックグラウンド部品を含む計算システム（例えば、データサーバ）、又はミドルウェア部品を含む計算システム（例えば、応用サーバ）、又はフロントエンド部品を含む計算システム（例えば、グラフィカルユーザインターフェース又はＷｅｂブラウザを備えたユーザコンピュータ、ユーザが、当該グラフィカルユーザインターフェース又は当該Ｗｅｂブラウザを通じて本明細書で説明するシステム及び技術の実施形態と対話できる）、又はこのようなバックグラウンド部品、ミドルウェア部品、又はフロントエンド部品の任意の組合せを含む計算システムに実施されてもよい。任意の形式又は媒体のデジタルデータ通信（例えば、通信ネットワーク）を通じて、システムの部品を相互に接続してもよい。通信ネットワークの例は、ローカルネットワーク（ＬＡＮ）、広域ネットワーク（ＷＡＮ）及びインターネットを含む。
【０１１６】
コンピュータシステムは、クライアント及びサーバを含んでもよい。通常、クライアント及びサーバは、互いに離れており、通信ネットワークを介して相互作用する。クライアントとサーバ間の関係は、対応するコンピュータで実行され、互いにクライアント−サーバ関係を持つコンピュータプログラムによって生成される。サーバは、クラウドサーバであってもよく、クラウド計算サーバ又はクラウドホストとも呼ばれ、クラウド計算サービスシステムにおける１つのホスト製品であり、従来の物理ホストと仮想専用サーバ（Ｖｉｒｔｕａｌ  Ｐｒｉｖａｔｅ  Ｓｅｒｖｅ、ＶＰＳと略称する）に存在する管理困難度が高く、サービス拡張性が弱いなどの欠陥を解決するために使用される。サーバは、分散システムのサーバ、又はブロックチェーンを組み込んだサーバであってもよい。
【０１１７】
理解すべきこととして、上記のさまざまな形式のフローを使用して、ステップの順序を変更、追加、又は削除してもよい。例えば、本願に記載された各ステップは、本願に開示された技術的解決策の所望の結果が達成され得る限り、並列、順次、又は異なる順序で実行されてもよく、本明細書に限定されない。
【０１１８】
上記の具体的な実施形態は、本願の保護範囲に対する制限を構造しない。当業者は、設計要件と他の要素によって、様々な修正、組み合わせ、サブ組み合わせ、及び置換を行うことができることを理解すべきである。本願の精神と原則の範囲内で行われた修正、同等の代替、及び改善などは、いずれも本願の保護範囲に含まれるべきである。
【図１】
2022003772.tif 000003
【図２】
2022003772.tif 000004
【図３】
2022003772.tif 000005
【図４】
2022003772.tif 000006
【図５】
2022003772.tif 000007
【図６】
2022003772.tif 000008
【図７】
2022003772.tif 000009
【図８】
2022003772.tif 000010
【図９】
2022003772.tif 000011